(57)【要約】【課題】柔軟性のバンドを腕時計ケースなどの他の部品と容易に着脱できるバンドを得る。【解決手段】本発明による帯状装身具は、腕時計ケース１０と、腕時計ケースの一方の側に連結された一方のバンド１１と、他方のバンド１３を有する。他方のバンドは腕時計ケースに連結された第１のバンド１６と、第１のバンドに取付けられた連結枠１７と、連結枠に連結された第２のバンド２０とよりなる。第２のバンドの先端部に設けられた係合突起２２を通過させる為、連結枠には、隙間２１が形成されている。第２のバンドの先端部は連結枠を通過させて折り返され、係合突起が第２のバンドに形成された係合孔２７に係合されて第２のバンドが第１のバンドに連結される。【選択図】　　　図４
2004129838.tif 000002
【特許請求の範囲】
【請求項１】
バンドと、
バンドの先端部が連結される連結枠と、
バンドの先端部に設けられた係合突起と、
連結枠に設けられ係合突起の一部を通過させる通過許容手段と、
バンドの先端部を連結枠を通過させて折り返したとき、係合突起が係合し得る位置において、バンドに形成された係合突起係合手段とよりなる帯状装身具。
【請求項２】
請求項１に記載の帯状装身具であって、
通過許容手段が、連結枠の前側部に形成され、係合突起の一部を通過させるための通過部である帯状装身具。
【請求項３】
請求項２に記載の帯状装身具であって、
通過部が、連結枠の前側部に形成された対向端部の間に形成される隙間である帯状装身具。
【請求項４】
請求項２に記載の帯状装身具であって、
通過部が、連結枠の前側部の一部を細くすることにより、バンドの表裏方向に形成された通過溝である帯状装身具。
【請求項５】
請求項２に記載の帯状装身具であって、
通過部が、連結枠の前側部を外方に湾曲させた湾曲部の内側に形成された通過溝である帯状装身具。
【請求項６】
請求項３に記載の帯状装身具であって、
係合突起が、隙間を通過できない大きさの通過不能部と、隙間を通過できる大きさの通過可能部を含む帯状装身具。
【請求項７】
請求項６に記載の帯状装身具であって、
係合突起が、隙間を通過できない大きさの頭部と、隙間を通過できるように形成された支柱とよりなる帯状装身具。
【請求項８】
請求項３に記載の帯状装身具であって、
係合突起係合手段が、係合突起の頭部が通過し得る係合孔である帯状装身具。
【請求項９】
請求項３に記載の帯状装身具であって、
連結枠の外側部間に架橋された補強枠を備える帯状装身具。
【請求項１０】
バンドと、
バンドの先端部が連結される連結枠と、
バンドの先端部に設けられた係合突起と、
係合突起をバンドに対し着脱可能にする着脱手段と、
バンドの先端部を連結枠を通過させて折り返した時、係合突起が係合し得る位置においてバンドに形成された係合突起係合手段とよりなる帯状装身具。
【請求項１１】
請求項１０に記載の帯状装身具であって、
着脱手段が、係合突起に着脱される固定部材を含み、
係合突起と固定部材との間でバンドが挟持される帯状装身具。
【請求項１２】
請求項１０に記載の帯状装身具であって、
係合突起と固定部材とが螺合される帯状装身具。
【請求項１３】
請求項１あるいは１０のいずれかに記載の帯状装身具であって、係合突起係合手段が、バンドに形成され、かつ係合突起が挿入されて係合される係合孔である帯状装身具。
【請求項１４】
請求項１あるいは１０のいずれかに記載の帯状装身具であって、連結枠が他のバンドに取付けられている帯状装身具。
【請求項１５】
請求項１あるいは１０のいずれかに記載の帯状装身具であって、連結枠が腕時計ケースに取付けられている帯状装身具。
【請求項１６】
腕時計ケースと、
腕時計ケースの一方の側に連結された一方のバンドと、
腕時計ケースの他方の側に連結された他方のバンドと、
他方のバンドはケースに連結された第１のバンドと、第１のバンドに取付けられた連結枠と、
連結枠に連結された第２のバンドとよりなることと、
第２のバンドの先端部に設けられた係合突起と、
連結枠に設けられ係合突起の一部を通過させる通過許容手段と、
第２のバンドの先端を連結枠を通過させて折り返した時、係合突起が係合し得る位置において、バンドに形成された係合突起係合手段とよりなる帯状装身具。
【請求項１７】
腕時計ケースと、
腕時計ケースの一方の側に連結された一方のバンドと、
腕時計ケースの他方の側に連結された他方のバンドと、
他方のバンドはケースに連結された第１のバンドと、第１のバンドに取付けられた連結枠と、
連結枠に連結された第２のバンドとよりなることと、
第２のバンドの先端部に設けられた係合突起と、
バンドに対し係合突起を着脱可能にする着脱手段と、
第２のバンドの先端を連結枠を通過させて折り返した時、係合突起が係合し得る位置において、バンドに形成された係合突起係合手段とよりなる帯状装身具。
【請求項１８】
腕時計ケースと、
腕時計ケースの一方の側に連結された一方のバンドと、
腕時計ケースの他方の側に連結された他方のバンドと、
一方のバンドに取付けられた連結枠と、
他方のバンドの先端部に設けられた係合突起と、
連結枠に設けられ係合突起の一部を通過させる通過許容手段と、
他方のバンドの先端を連結枠を通過させて折り返した時、係合突起が係合し得る位置において、バンド長手方向に並べられてバンドに形成された複数個の係合突起係合孔とよりなる帯状装身具。
【発明の詳細な説明】
【０００１】
【発明の属する技術分野】
本発明は、腕時計、ブレスレット、ネックレス、あるいはベルトなどの帯状装身具に関する。
【０００２】
【従来の技術】
腕時計やブレスレットなどの帯状装身具には、天然皮革や合成皮革から成る皮革製バンド、合成樹脂製バンド、ゴム製バンド、あるいはメッシュバンドなど、柔軟に屈曲するバンドがしばしば用いられる。そして、これらの可撓性バンドは、帯状装身具を構成する他の構成部品である接続部品に連結される。バンドが連結される接続部品は、その帯状装身具の形態によって異なる。たとえば、腕時計ならばバンドはムーブメントを収納するケースや中留に連結され、あるいはブレスレットならばバンドは輝石を配置した基台などに連結される。また、バンドが、帯状装身具を構成する他のバンドに連結されることもある。
【０００３】
しかしながら、これらの可撓性バンドは、柔軟な素材から成るがゆえに、傷つきやすい。そこで、このような帯状装身具の携帯者の中には、傷ついたバンドを新しいバンドに交換する者も少なくない。
また、携帯者の中には、帯状装身具の外観を変更したいがために、現在連結されているバンドを、異なる外観を呈する別のバンドに交換する者も多い。
【０００４】
このため、帯状装身具においては、以前より接続部品に対してバンドを容易に交換できる技術が提案されてきた。たとえば、帯状装身具の１つである腕時計においては、バンドとバンドとを着脱できる構造が、すでに提案されている（特許文献１と２参照。）。
【０００５】
その代表的な例を図１９と２０に示す。この従来技術においては、第１のバンド１の一端に、金属製矩形の枠体からなる連結枠２が連結されている。この連結枠の内側に、第２のバンド３の一端が挿通されて、連結枠の枠縁を介して、第２のバンドの他端に向けて折り返えされる。
第２のバンド３の折り返えされた部分３ａには、バンド表裏方向に突出する係合突起４がリベット６によって取付けられている。第２のバンドの折り返さない部分、すなわち、第２のバンドの本体３ｂには、係合突起４が挿入係止される係合孔５が形成されている。そして、折り返した部分の係合突起が、係合孔５に挿入されて係止連結される。
この係止手段によって、第２のバンド３の一端に輪状部分が形成され、この輪状部分の内側に、第１のバンドに連結された連結枠の枠縁が挿通される。よって、第２のバンドが第１のバンドの連結枠に連結される。
【０００６】
第２のバンドを第１のバンドの連結枠より取り外すには、携帯者は、折り返した部分の係合突起４を本体３ｂの係合孔５から外す。すると、第２のバンドが連結枠から抜脱され、第２のバンドが第１のバンドの連結枠より取り外される。
この構造は、係合突起と係合孔からなる係止手段を用いることで、特別な技能をもたない一般の携帯者でも、バンドを容易に着脱できるという利点を有する。
【０００７】
【特許文献１】
実公昭５３−３３５９２号公報（第２頁、第１図）
実公平２−１２９９０号公報（第４頁、第１図）
【０００８】
【発明が解決しようとする課題】
ところで、この従来技術の構造では連結枠の内側の広さ、特にバンドの長手方向に沿った内側の寸法である隙間寸法Ｌ１を広げてしまうと、第１のバンドと第２のバンドとの間のバンド長手方向の隙間寸法Ｌ２も広がってしまう。すると、帯状装身具の外観が間の抜けたものになり、帯状装身具の美観がはなはだ損なわれてしまう。
また、隙間寸法Ｌ１を広げてしまうと、連結枠のバンド長手方向の全体の寸法Ｌ３も長くなってしまう。連結枠の素材には、バンドを挿通しやすくするため、金属や硬質合成樹脂など、撓みにくい非可撓性材料が選ばれることが多い。よって、手首や腰などの身体の湾曲に沿わない連結枠が長くなり、帯状装身具の装着感が極めて悪くなってしまう。
【０００９】
これらの理由により、このような構造において、連結枠の隙間寸法Ｌ１は、係合突起をともなうバンドが通過できるように確保されなければならない反面、なるべく狭く設定される必要がある。
このため、このような構造においては、バンドを連結枠に連結させようとしても、係合突起が連結枠の枠縁に引っ掛かりやすく、バンドを連結枠の内側に挿通させることが難しかった。同様に、バンドを連結枠から外そうとしても、係合突起と連結枠とが干渉して、バンドが連結枠から円滑に抜脱されなかった。
したがって、携帯者にとっては、バンドの着脱はできるものの、その作業は決して容易ではなかった。
【００１０】
また、バンドを着脱する際に、係合突起と連結枠とが衝突しやすいので、係合突起にも連結枠にもすぐに傷がついてしまう。よって、短い使用期間で帯状装身具の外観が劣化してしまった。
【００１１】
そこで、本発明の第１の目的は、容易にバンドが着脱できる帯状装身具を提供することにある。
また、本発明の第２の目的は、帯状装身具の美観を損ねずにバンドが着脱できる帯状装身具を提供することにある。
【００１２】
【課題を解決するための手段】
この課題を解決するために、本発明の帯状装身具は、請求項１に記載されたように、バンドと、バンドの先端部が連結される連結枠と、バンドの先端部に設けられた係合突起と、連結枠に設けられ係合突起の一部を通過させる通過許容手段を有することを特徴とする。
これにより、連結枠の枠間寸法を縮小しても、バンドの係合突起は、連結枠を通過する。よって、連結枠に対するバンドの挿通や抜脱が容易になるので、連結枠にバンドが容易に着脱される。
また、係合突起と連結枠との接触によって、係合突起と連結枠とが傷つく危険性も削減されるので、帯状装身具の美観が長期にわたり保たれる。
【００１３】
連結枠は、接続部品に取付けられる別体の枠体とすることができる。あるいは、連結枠は、接続部品に一体に形成されてもよい。
また、係合突起の端部をバンド内部に埋め込むことにより、係合突起をバンドに固定することができる。これにより、係合突起が、皮革製バンドに対しても、容易に、かつ強固に取付けられる。バンドが合成樹脂やゴムから成るならば、係合突起の端部がバンド内部に埋め込まれるようにインサート成形してもよい。
あるいは、係合突起もバンドも合成樹脂やゴムから成るならば、係合突起がバンドと一体に形成されてもよい。
【００１４】
係合突起は、バンドの折り返さない部分を機械的に係止できる機能を担い、バンド表裏方向に突出するものであるならば、どのようなものであってもよい。たとえば、衣服のボタンなどに用いられるスナップ部材などであってもよい。
【００１５】
また、本発明は、請求項２に記載されたように、通過許容手段を、連結枠の前側部に形成され、かつ係合突起の一部を通過させるための通過部とすることができる。
この場合、本発明の帯状装身具は、請求項３に記載されたように、通過部を、連結枠の前側部に形成された対向端部、すなわち２つの開放端部の間に形成される隙間として形成することができる。この通過部は、２つの開放端部を連結枠に設けるだけで形成される。このような連結枠は、容易に、かつ安価に製造され得る。
また、本発明の帯状装身具は、請求項４に記載されたように、通過部を、連結枠の前側部の一部を細くすることにより、バンドの表裏方向に形成された通過溝として形成することができる。
あるいはまた、本発明の帯状装身具は、請求項５に記載されたように、通過部を、連結枠の前側部を外方に湾曲させた湾曲部の内側に形成された通過溝とすることができる。
通過溝を用いた連結枠は、容易に、かつ安価に製造され得るばかりか、開放端をもたないので、その強度も向上する。
【００１６】
また、本発明の帯状装身具の係合突起は、請求項６に記載されたように、隙間を通過できない大きさの通過不能部と、隙間を通過できる大きさの通過可能部を含むことができる。これにより、係合突起係合手段が不用意に外れても、通過不能部が隙間に引っかかるので、意図せずにバンドが枠部より抜脱されることがない。よって、帯状装身具が不用意に携帯者の身体から外れる危険が回避される。この場合、請求項７に記載されたように、この係合突起が、隙間を通過できない大きさの頭部と、隙間を通過できるように形成された支柱とより構成されてもよい。
【００１７】
また、本発明は、請求項８に記載されたように、係合突起係合手段を、係合突起の頭部が通過し得る係合孔とすることができる。
また、本発明の帯状装身具は、請求項９に記載されたように、連結枠の外側部間に架橋された補強枠を備えることが好ましい。これにより、連結枠に通過部を設けようとも、枠部に充分な強度が与えられる。特に、強度が不足する可能性がある、２つの開放端を設けた連結枠に補強枠を設けることが好ましい。補強枠は、連結枠におけるバンド幅方向に相対する２つの枠縁の間を架橋するように設けられればよく、その形状は問わない。
【００１８】
また、上記の課題を解決するために、本発明の帯状装身具は、請求項１０に記載されたように、バンドと、バンドの先端部が連結される連結枠と、バンドの先端部に設けられた結合突起と、結合突起をバンドに対し着脱可能にする着脱手段とを備えることを特徴とする。
これにより、係合突起をバンドから取り外せば、連結枠の隙間寸法を広げずとも、バンドが連結枠に容易に挿通される。次いで、バンドに係合突起を取付ければ、前述の従来構造と同様に、係合手段によってバンドは連結枠に連結される。そして、再び係合突起をバンドから取り外せば、バンドは連結枠より容易に抜脱される。このように、連結枠に対するバンドの挿通や抜脱が容易になるので、連結枠にバンドが容易に着脱される。
【００１９】
また、係合突起はバンドから分離されるので、係合突起が連結枠に挿通される、あるいは抜脱される際に、係合突起が連結枠と接触することもない。よって、係合突起も連結枠も傷つかないので、長期にわたり、それらの美観が保たれる。
【００２０】
この場合、請求項１１に記載されたように、本発明の帯状装身具は、着脱手段として、係合突起に着脱される固定部材と係合突起との間でバンドが挟持される構成を採用できる。
これにより、両者の間でバンドを挟持するように、係合突起に固定部材を取付ければ、係合突起がバンドに容易に固定される。また、係合突起から固定部材を取り外せば、係合突起はバンドから容易に分離する。
【００２１】
この場合、請求項１２に記載されたように、係合突起と固定部材とが螺合されるようにすれば、係合突起と固定部材とが容易に着脱されるばかりか、係合突起と固定部材との着脱手段が安価に達成される。
また、本発明の帯状装身具における係合手段は、請求項１３に記載されたように、バンドに形成され、かつ係合突起が挿入されて係止される係合孔を含むことができる。係合孔は、貫通孔であっても、有底の孔であってもよい。
【００２２】
また、本発明の帯状装身具における連結枠は、請求項１４に記載されたように、バンドに連結されてもよい。
あるいは、本発明の帯状装身具における連結枠は、請求項１５に記載されたように、腕時計ケースに連結されてもよい。
また、本発明における連結枠は、これらの他にも、輝石を配置した基台や中留などに連結されてもよい。
【００２３】
本発明における帯状装身具が腕時計である場合、請求項１６、あるいは１７に記載されたように、この腕時計は、腕時計ケースの一端に連結された一方のバンド本体と、腕時計ケースの他端に連結された他方のバンド本体と、一方のバンド本体と他方のバンド本体とを連結する中留機構とを含むことができる。この腕時計の他方のバンド本体は、連結枠を備える第１のバンドと、係合突起を備える第２のバンドとを備えることができる。
【００２４】
【発明の実施の形態】
（第１実施形態）
図１は本発明を腕時計のバンドに適用した第１実施形態を示す平面図、　図２はバンドの連結前を示す斜視図、図３、４は連結操作を示す斜視図、図５、６は各部の寸法を説明する為の平面図及び断面図、図７は抜け止めを説明するための斜視図である。
【００２５】
この実施形態は、帯状装身具の１つとして、腕時計を例に説明される。
図１に示すように、腕時計ケース１０の一方の側に形成された連結脚１２に、尾錠１４を有する一方のバンド１１がばね棒により連結される。腕時計ケース１０の他方の側に形成された連結脚１５には、他方のバンド１３が同じくばね棒により連結されている。
他方のバンドはケース１０に取付けられた短い第１のバンド１６と、第１のバンドに連結された連結枠１７に対して取り外し可能に連結される長い第２のバンド２０とよりなる。第２のバンド２０には、複数のバンド長さ調節孔１８が形成される。この実施形態では、これらのバンド１１、１６、２０は、皮革バンドとして示される。
一方のバンド１１の尾錠１４と、他方のバンド１３、詳しくは第２のバンド２０の長さ調節孔１８とが係合し、一方のバンド１１と他方のバンド１３が尾錠１４を介して錠止される。よって、輪状につながった腕時計は、携帯者の手首に装着される。
【００２６】
図２に示すように、連結枠１７は、円柱状の金属線材を略Ｃ字形に折曲加工して形成される。連結枠１７は、バンド幅方向に沿って延び、かつ第１のバンド１６に結合された基部１７ａを備える。基部１７ａの両端それぞれより、バンド長手方向に沿って延出する枠縁である２つの外側部１７ｂが備えられる。２つの外側部１７ｂにおける、基部１７ａにつながらない端部それぞれより、バンド幅方向に沿って対向する一対の前側部１７ｃが延びる。この両前側部１７ｃの間に、通過許容手段を担う通過部である係合突起通過隙間２１が形成される。
【００２７】
第２のバンド２０には、その先端部の裏側に金属製係合突起２２が突設されている。係合突起２２は、図６に示すように、その開放端部に位置する球形の頭部２３、および頭部２３に連続してバンドに向けて延出する中間の支柱２４とを備える。頭部２３の直径は支柱２４の直径より大きく形成される。さらに、支柱２４におけるバンド２０に向いた端部には、支柱２４よりさらに細い補軸２４ａを挟んで、一対の円板状の挟持部２５、２６が備えられる。挟持部２６が挟持部２５より外端部寄り、すなわち図における下側に位置する。
【００２８】
挟持部２５がバンド２０の裏面（図における上面）に接するように、補軸２４ａと挟持部２６とがバンド２０内部に埋め込まれる。結果、挟持部２５、２６によりバンド２の一部が挟挟まれて、係合突起２２がバンド２０に固定される。このようにして、頭部２３と支柱２４が第２バンド２０の裏側に突出する。
さらに、図４に示すように、連結枠１７を介してバンド２０を折曲した時に、係合突起２２がバンド２０と係合し得る位置において、バンド２０に係合孔２７が貫通される。
【００２９】
ここで、図５に示すように、係合突起２２の頭部２３の直径Ｄ２は、連結枠１７の係合突起通過隙間２１の幅Ｗより大きく設定される。また、支柱２４の直径Ｄ１は幅Ｗより小さく設定されている。
【００３０】
次に、第２バンド２０を第１のバンド１６に連結する操作について説明する。図３に示すように、第２のバンド２０の先端２０ａが、連結枠１７内に表側（図における上方）より垂直に挿入される。係合突起２２の支柱２４が水平に保持されたまま、支柱２４が連結枠の係合突起通過隙間２１を通過する。
次に、図４に示すように、第２のバンド２０が、連結枠１７の裏側（図における下方）に引き出され、連結枠１７を越えて折り返される。そして、係合突起２２が下側より係合孔２７に挿入されて、バンド２０と１６の連結が終わる。連結状態は、図１９の従来のものと略同じとなる。
【００３１】
係合突起２２が隙間２１を通過するためには、隙間２１の幅Ｗは、少なくとも支柱２４の直径Ｄ１より大きくなければならない。隙間２１の幅Ｗは、頭部２３の直径Ｄ２より大きくてもよい。すると、係合突起２２の頭部２３も、隙間２１を通過できるようになる。
この実施形態のように、Ｄ１＜Ｗ＜Ｄ２のように設定すれば、連結枠１７内の空間は係合突起２２の頭部２３を通過させるに足る大きさを必要としないので、その空間のバンド長手方向の長さを短くすることができ、バンドの外観の低化を免れることができる。
さらに、腕時計の装着時に、周辺物との不用意な接触などによる外力の負荷によって、係合突起２２が係合孔２７より離脱するようなことがあっても、図７に示すように、頭部２３が連結枠１７の前側部１７ｃの端部に当たる。すると、頭部２３は通過部２１を通過できないので、連結枠１７からバンド２０が抜脱しない。すなわち、腕時計が、腕から離れて落下することはない。
第２のバンド２０を第１のバンド１６より外す時は、上記の連結手順を逆にたどって操作すればよい。
【００３２】
本実施形態によれば、連結枠１７に係合突起２２が通過できる通過部を設けたので、バンド２０と１６の着脱が極めて容易になる。
【００３３】
（第２実施形態）
図８は本発明の第２実施形態における連結枠部を示す平面図である。
連結枠３０は、第２のバンド２０及び係合突起２２が通過し得る空間３１を残して、２つの外側部３０ｂの間に補強枠３２が架設されている。この補強枠３２を設けることにより、通過部３３による連結枠３０の強度の低下を補い、連結枠が拡幅して係合突起２２の通過を許しバンドが落下するのを防止することができる。
このような補強により、例えば金属板をプレス加工することにより連結枠を簡単に製造することができる。
【００３４】
（第３実施形態）
図９は第３実施形態を示す平面図、図１０は連結枠の斜視図である。
連結枠３５は、バンドが挿通される内部空間としての貫通孔が平板に形成された、ほぼ矩形の枠体である。連結枠３５の前側部３５ｃは、２つの外側部３５ｂの端部をつなぐ枠縁であり、この前側部３５ｃには実施形態１のような隙間としての通過部はない。前側部３５ｃの一部を細くすることにより、前側部３５ｃには、係合突起２２の頭部２３が通過し得る、連結枠３５の表裏方向に貫通された凹部、あるいは切り欠けとして、通過溝３６が形成される。この溝３６の幅Ｗ１は、頭部２３の直径Ｄ２より若干大きく設定される。
【００３５】
次に、第２バンド２０を第１のバンド１６に連結する操作については、実施形態１と同じである。図９に示すように、係合突起２２の頭部２３が通過溝３６を通過する。
連結枠３５は、金属板をプレス加工して製造される。あるいは枠３５は、合成樹脂やゴムを成形することにより製造される。
本実施形態によれば、前側部３５ｃが１つにつながっているので、連結枠の強度が高い。第２実施形態のように連結枠に補強枠を設ける必要はないので、連結枠の加工が容易である。
【００３６】
（第４実施形態）
図１１は第４実施形態を示す平面図、図１２は斜視図である。
本連結枠３８は、その前側部３８ｃが外方に湾曲され、前側部３８ｃにＵ字形の通過溝４０が形成される。このような枠３８は、たとえば環状の金属の線材を曲げて形成される。そして、図１１に示すように、係合突起２２の頭部２３が、通過溝４０を通過できるようになっている。
本実施形態では、Ｕ字形の折曲により枠３８の強度がさらに高くなる効果を有する。
【００３７】
（第５実施形態）
図１３は第５実施形態を示す斜視図、図１４乃至図１６は第２バンドの連結操作を示す側面図である。
図１３に示すように、第１のバンド４１には、環状の連結枠４２が取付けられる。一方、第２のバンド４３には、係合突起４４が固定される。
係合突起４４は、図１４に示すように、頭部と支柱を含む係合突起本体４５と、該本体に着脱可能に螺合する固定部材である固定ねじ４６とよりなる。そして、第２のバンドには取付け孔４７と係合孔４８が形成される。固定ねじ４６が、取付け孔４７に挿通されて、係合突起本体４５に螺入される。よって、係合突起本体４５と固定ねじ４６との間で第２のバンド４３が挟持されて、バンド４３に係合突起４４が固定される。
【００３８】
次に、第２のバンドの連結操作について説明する。
図１３は連結前の状態を示し、図１４に示すように、突起本体４５から固定ねじ４６が抜き出され、係合突起４４が第２のバンドより外される。次に、第２のバンド４３の先端部が連結枠４２内に挿入され、連結枠４２を通過する。図１５に示すように、ねじ４６が、取付け孔４６に挿入回転され、突起本体４５に螺入される。よって、バンド４３に係合突起４４が固定される。
最後に図１６に示すように、突起本体４５が係合孔４８に挿入されて係合し、バンド４１と４３の連結が完了する。
【００３９】
（第６実施形態）
図１７は第６実施形態を示す斜視図である。
本例は、第１実施形態における連結枠１７を、腕時計ケース５１に取付けた例を示す。連結枠１７とバンド２０の連結操作は、第１実施形態と同じである。第２のバンド２０の係合突起２２が係合孔２７に挿入される。このように、連結枠１７を介してバンド２０とケース５１が連結される。
【００４０】
（第７実施形態）
図１８は第７実施形態を示す平面図である。
本実施形態は、本発明を、腕時計を装着する為の２本のバンドそのものを連結する中留金具に適用したものである。
すなわち、腕時計ケース５２の一側に一方のバンド５３が取付けられ、他側に他方のバンド５４が取付けられる。一方のバンドには第１実施形態の連結枠１７が取付けられ、他方のバンド５４の裏側に係合突起２２が固定される。また、他方のバンド５４には、バンドの長手方向に並んだ複数個の係合孔５５が設けられている。
【００４１】
携帯者は、他方のバンド５４の先端部を連結枠１７の裏側から挿入し、連結枠１７を介して折り返す。そして、携帯者は、係合突起２２を腕の径に合わせて、係合孔５５の一つに係合する。よって、両バンド５３と５４が連結されて、腕時計が手首に装着される。
【００４２】
【発明の効果】
上記したように、本発明は、連結枠に対して容易にバンドが着脱できる帯状装身具を提供できる。また、本発明は、帯状装身具の美観を損ねずに、連結枠に対してバンドが着脱できる帯状装身具を提供できる。
たとえば、本発明の帯状装身具は、汚れたり、傷ついたり、あるいは切れたりしたバンドを、新しいバンドに容易に交換できる。
また、本発明の帯状装身具は、連結枠に対して、皮革バンドと合成樹脂バンドとを交互に付け替えたり、互いに異なる絵柄、模様、あるいは色調を備える複数のバンドを交互に付け替えたりして、帯状装身具の外観を容易に変化させることができる。
さらにまた、本発明の帯状装身具は、バンドを、よりバンド丈が長いバンドと交換して、帯状装身具の周長を長くすることができる。これにより、たとえば手首に巻回していた帯状装身具を、スキーウエアの上に巻回させることができる。あるいは、手首を多重に巻回するように装着できるファッショナブルな帯状装身具が提供できる。
【図面の簡単な説明】
【図１】本発明を腕時計のバンドに適用した第１実施形態を示す平面図である。
【図２】バンドの連結前を示す斜視図である。
【図３】連結操作を示す斜視図である。
【図４】連結操作を示す斜視図である。
【図５】各部の寸法を説明する為の平面図である。
【図６】各部の寸法を説明する為の断面図である。
【図７】抜け止めを説明するための斜視図である。
【図８】第２実施形態における連結枠部を示す平面図である。
【図９】第３実施形態を示す平面図である。
【図１０】第３実施形態を示す連結枠の斜視図である。
【図１１】第４実施形態を示す平面図である。
【図１２】第４実施形態を示す斜視図であるである。
【図１３】第５実施形態を示す斜視図である。
【図１４】第２バンドの連結操作を示す側面図である。
【図１５】第２バンドの連結操作を示す側面図である。
【図１６】第２バンドの連結操作を示す側面図である。
【図１７】図１６は第６実施形態を示す斜視図である。
【図１８】図１７は第７実施形態を示す平面図である。
【図１９】従来のバンドの連結部を示す斜視図である。
【図２０】従来のバンドの連結部を示す切断側面図である。
【符号の説明】
１　　　　　　　　　　バンド
２　　　　　　　　　　連結枠
３　　　　　　　　　　バンド
３ａ　　　　　　　　折り返えされた部分
３ｂ　　　　　　　　本体
４　　　　　　　　　　係合突起
５　　　　　　　　　　係合孔
６　　　　　　　　　　リベット
１０　　　　　　　　腕時計ケース
１１　　　　　　　　バンド
１２　　　　　　　　連結脚
１３　　　　　　　　バンド
１４　　　　　　　　尾錠
１５　　　　　　　　連結脚
１６　　　　　　　　バンド
１７　　　　　　　　連結枠
１７ａ　　　　　　基部
１７ｂ　　　　　　外側部
１７ｃ　　　　　　前側部
１８　　　　　　　　バンド長さ調節孔
２０　　　　　　　バンド
２０ａ　　　　　　先端
２１　　　　　　　　係合突起通過隙間
２２　　　　　　　　係合突起
２３　　　　　　　　頭部
２４　　　　　　　　支柱
２５　　　　　　　　挟持部
２６　　　　　　　　挟持部
２７　　　　　　　　係合孔
３０　　　　　　　　連結枠
３０ｂ　　　　　　外側部
３１　　　　　　　　空間
３２　　　　　　　　補強枠
３３　　　　　　　　通過部
３５　　　　　　　　連結枠
３５ｃ　　　　　　前側部
３６　　　　　　　　通過溝
３８　　　　　　　　連結枠
３８ｃ　　　　　　前側部
４０　　　　　　　　通過溝
４１　　　　　　　　バンド
４２　　　　　　　　連結枠
４３　　　　　　　　バンド
４４　　　　　　　　係合突起
４５　　　　　　　　係合突起本体
４６　　　　　　　　固定ねじ
４７　　　　　　　　取付け孔
４８　　　　　　　　係合孔
５１　　　　　　　　ケース
５２　　　　　　　　腕時計ケース
５３　　　　　　　　バンド
５４　　　　　　　　バンド
５５　　　　　　　　係合孔
【図１】
2004129838.tif 000003
【図２】
2004129838.tif 000004
【図３】
2004129838.tif 000005
【図４】
2004129838.tif 000006
【図５】
2004129838.tif 000007
【図６】
2004129838.tif 000008
【図７】
2004129838.tif 000009
【図８】
2004129838.tif 000010
【図９】
2004129838.tif 000011
【図１０】
2004129838.tif 000012
【図１１】
2004129838.tif 000013
【図１２】
2004129838.tif 000014
【図１３】
2004129838.tif 000015
【図１４】
2004129838.tif 000016
【図１５】
2004129838.tif 000017
【図１６】
2004129838.tif 000018
【図１７】
2004129838.tif 000019
【図１８】
2004129838.tif 000020
【図１９】
2004129838.tif 000021
【図２０】
2004129838.tif 000022